(57)【要約】      （修正有）【課題】取り付ける庇パネルを所定の勾配に規制すべく、取付部材の横板部に設定して構成しておく縦板部からの突出方向の勾配が、角度変更部材の組み付けにより、取付部材の構成に変更を加えることなく、変更し得るようにする勾配変更装置を提供する。【解決手段】横板部１１の縦板部１０からの突出方向における勾配を、一定に設定して取付部材を形成し、別に、座板状の縦板部３と、その縦板部３の上下の両端部にそれぞれ設けられて前記取付部材の縦板部１０を前後に傾斜させた姿勢に支持してその縦板部１０に一体的に連結する連結部３０・３２と、を装備せる角度変更部材Ｍを形成し、この角度変更部材Ｍの取付部材に対する背面側からの取り付けにより取付部材の横板部１１の勾配を変更せしめる。【選択図】図５
0003157065.tif 000002
【実用新案登録請求の範囲】
【請求項１】
背面側を建物躯体（Ｂ）の外壁面（ｂ）に当接せしめる縦方向の座面に形成した座板状の縦板部（１０）と、その縦板部（１０）の前面から棚板状に前方に突出して、庇パネル（Ｄ）を取り付け支架せしめる横板部（１１）とからなる建物用庇の取付部材（Ａ）において、該取付部材（Ａ）は、それの横板部（１１）の縦板部（１０）からの突出方向における勾配を、その横板部（１１）に支架する庇パネル（Ｄ）に付与する勾配に対応させて一定の勾配に設定して取付部材（Ａ）に形成し、別に、前記取付部材（Ａ）の縦板部（１０）に略対応する形状・大きさに形成せる座板状の縦板部（３）と、その縦板部（３）の上下の両端部にそれぞれ設けられて、前記取付部材（Ａ）の縦板部（１０）の上下の両端部に対する連結によりその縦板部（１０）を、該縦板部（３）に対し前後に傾斜させた姿勢に支持してその縦板部（１０）に一体的に連結する連結部（３０）・（３２）と、を装備せる角度変更部材（Ｍ）を形成し、この角度変更部材（Ｍ）の取付部材（Ａ）に対する背面側からの取り付けにより取付部材（Ａ）の横板部（１１）の勾配を変更せしめるようにしたことを特徴とする建物用庇における勾配変更装置。
【請求項２】
背面側を建物躯体（Ｂ）の外壁面（ｂ）に当接せしめる縦方向の座面に形成した座板状の縦板部（１０）と、その縦板部（１０）の前面から棚板状に前方に突出して庇パネル（Ｄ）を取り付け支架せしめる横板部（１１）とからなる取付部材（Ａ）は、それの庇パネル（Ｄ）を取り付ける横板部（１１）が、縦板部（１０）の背面側の縦方向の座面と直交する仮想の水平面に対し先端下りの前勾配で縦板部（１０）から前方に突出する形状に形成し、角度変更部材（Ｍ）は、縦板部（３）の下端側に設ける連結部（３２）を、上端側に設ける連結部（３０）よりも前方に偏位させて縦板部（３）の前面側に設け、取付部材（Ａ）への背面側からの組み付けにより、取付部材（Ａ）の縦板部（１０）を後方に傾斜回動した姿勢に支持して横板部（１１）を後勾配に変更せしめるようにしたことを特徴とする請求項１記載の建物用庇における勾配変更装置。
【請求項３】
背面側を建物躯体（Ｂ）の外壁面（ｂ）に当接せしめる縦方向の座面に形成した座板状の縦板部（１０）と、その縦板部（１０）の前面から棚板状に前方に突出して庇パネル（Ｄ）を取り付け支架せしめる横板部（１１）とからなる取付部材（Ａ）は、それの庇パネル（Ｄ）を取り付ける横板部（１１）が、縦板部（１０）の背面側の縦方向の座面と直交する仮想の水平面を基準として先端上りの後勾配で縦板部（１０）から前方に突出する形状に形成し、角度変更部材（Ｍ）は、縦板部（３）の上端側に設ける連結部（３０）を、下端側に設ける連結部（３２）よりも前方に偏位させて縦板部（３）の前面側に設け、取付部材（Ａ）への背面側からの組み付けにより、取付部材（Ａ）の縦板部（１０）を前方に傾斜回動した姿勢に支持して横板部（１１）を前勾配に変更せしめるようにしたことを特徴とする請求項１記載の建物用庇における勾配変更装置。
【考案の詳細な説明】
【技術分野】
【０００１】
本考案は、建物躯体の外壁面にアンカーボルトにより取り付ける取付部材と、この取付部材に取り付けるアルミ材等の金属材の押出成形により中空の短冊状に成形される庇パネルとで、建物の外面に張り出すように装設する構成態様の建物用庇に関する。さらに具体的にいえば、組み立て施工する建物用庇の勾配を変更する建物用庇における勾配変更手段に関する。
【背景技術】
【０００２】
建物躯体の外壁面に取り付ける取付部材と、これに、巾方向に並列させて取り付ける複数の短冊状の庇パネルとで、建物の外面に張り出すように取り付け装設する建物用庇は、通常、図１にあるように、背面側を垂直な面に沿わせた縦の座板状の縦板部１０と、この縦板部１０の前面側から棚板状に前方に突出する横板部１１とを具備する取付部材Ａを、アルミ材等の金属材の押出成形で形成しておき、また、中空の短冊状の庇パネルＤを、アルミ材等の金属材の押出成形により多数本成形しておいて、まず、取付部材Ａを、それの縦板部１０の背面側を建物躯体Ｂの外壁面ｂに当接させてアンカーボルトＣの打ち込みにより取り付け固着する。次いでこの取付部材Ａの横板部１１に形成しておいた取付座面１２に、図２にあるように、中空の短冊状に形成してある庇パネルＤの基端側を当接して、取付ボルトＥにより横板部１１に取り付け支架し、この作業を重ねて複数本の庇パネルＤを巾方向に並列させて横板部１１に取り付け支架して庇体Ｆに組み立てることで、建物用庇を構成するようにしている。
【０００３】
このように組み立て構成される建物用庇は、横板部１１の上面により形成されている庇パネルＤを当接せしめて載架支承せしめる取付座面１２が、横板部１１の縦板部１０に対する取り付け角度により、取り付ける庇パネルＤを、前端下りの前勾配とする勾配に形成してあることから、前勾配の庇体となる形態の建物用庇に構成される。
【０００４】
庇体が前端に向け昇り勾配となる後勾配の建物用庇は、現状においては存在していない。この後勾配の建物用庇を構成する場合には、図３にあるように横板部１１の庇パネルＤを支承せしめる取付座面１２の、縦板部１０からの突出方向における勾配を後勾配に設定してある取付部材Ａを用いて行うことが考えられる。
【０００５】
このことから、この取付部材Ａに中空の短冊状の庇パネルＤを並列させて取り付けることで組み立て構成する建物用庇には、取り付け施工する建物用庇を前勾配のものに構成するための取付部材と、後勾配のものに構成するための取付部材との、少なくとも２種の取付部材を用意しておかなければならないことになり、製作コストと、製造してストックさせておくときのストックのコストを高め、また、取り付け施工の際に、適応する取付部材を正しく選択して取り付けなければならない問題を生ぜしめている。
【０００６】
取付部材Ａの横板部１１への組み付けで、前勾配若しくは後勾配の状態姿勢に取り付けられる庇パネルが、角度変更部材の組み付けで、勾配を変更できるようになれば、取付部材は一種類に製造しておけばよく、製作コスト、及びストックのコストを低減でき、また取付作業を厄介にすることもなくなり、上述の問題を解消せしめるようになる。
【先行技術文献】
【特許文献】
【０００７】
【特許文献１】特開２００９−０９７３２６号公報
【考案の概要】
【考案が解決しようとする課題】
【０００８】
本考案において解決しようとする課題は、取り付ける庇パネルを所定の勾配に規制すべく、取付部材の横板部に設定して構成しておく縦板部からの突出方向の勾配が、角度変更部材の組み付けにより、取付部材の構成に変更を加えることなく、変更し得るようにする勾配変更手段を構成する点にある。
【課題を解決するための手段】
【０００９】
本考案は、上述の課題を解決するための手段として、取付部材Ａは、それの横板部１１に組み付ける庇パネルＤを前勾配または後勾配のうちの一方向の勾配とする角度で縦板部１０から突出する形状に構成して形成しておき、別に、取付部材Ａに対しそれの縦板部１０の背面側からの組み付けにより一体的に連結して、前記縦板部１０に換わって建物躯体Ｂの外壁面ｂに当接していく角度変更部材Ｍを形成し、かつ、該角度変更部材Ｍは、取付部材Ａに対し嵌合した状態において、その取付部材Ａの縦板部１０を、該角度変更部材Ｍの縦板部４に対し前後に傾斜させた姿勢に支持するよう構成し、その縦板部１０の傾斜により横板部１１の勾配を変更せしめるようにしたことを特徴とする勾配変更手段を提起するものである。
【考案の効果】
【００１０】
本考案手段は、取付部材の横板部の、縦板部からの突出角度により規制されて設定される庇パネルの突出方向における勾配の変更を、取付部材の縦板部の背面側から組み付ける角度変更部材により、取付部材の縦板部を傾斜回動させた姿勢に支持することで行うのであるから、取付部材は、一種類に形成しておいてよいので、製造コスト及びストックのコストを低減し、また、取り付け施工の作業を厄介なものとすることも解消できるようになる。
【図面の簡単な説明】
【００１１】
【図１】前端下りの前勾配の庇体に組み立てた建物用庇の、建物躯体の外壁面に取り付けた状態における縦断側面図である。
【図２】同上建物用庇の、取り付け途上における斜視図である。
【図３】前端上りの後勾配の庇体に組み立てた建物用庇の、建物躯体の外壁面に取り付けた状態における縦断側面図である。
【図４】本考案を実施せる建物用庇の、建物躯体の外壁面に取り付けた状態における縦断側面図である。
【図５】同上建物用庇に用いる取付部材と角度変更部材の、組み付け前の状態時における側面図である。
【図６】同上の取付部材と角度変更部材とを組み合わせ結合させて、建物躯体の外壁面に取り付けた状態の縦断側面図である。
【図７】同上の取付部材と角度変更部材との組み合わせを外して、取付部材だけを用いて建物用庇を建物躯体の外壁面に取り付けた状態の縦断側面図である。
【図８】本考案手段の別の実施例における取付部材に角度変更部材を組み合わせて、建物躯体の外壁面に建物用庇を取り付けた状態時の縦断側面図である。
【図９】同上実施例の角度変更部材を外して建物躯体の外壁面に取り付けた状態時の縦断側面図である。
【考案を実施するための形態】
【００１２】
次に本考案の実施の態様を、図面につき実施例に従い詳述する。
【実施例１】
【００１３】
図４乃至図７は、本考案手段の実施の一例を示している。この例は、取付部材Ａには、それの横板部４が、取り付ける庇パネルＤを先端下りの前勾配とすべく、縦板部１０から前勾配の姿勢で突出している取付部材をベースに用い、これに組み合わせて用いる角度変更部材Ｍは、取付部材Ａの縦板部１０の背面側から嵌め合わせるように組み付けたときに、取付部材Ａを、縦板部１０が後方に傾斜回動した斜めの姿勢として支持して、その縦板部１０の後方傾斜により横板部１１を先端上りの後勾配の状態姿勢に変更するようにした構成のものとしている例である。
【００１４】
図４において、Ａは取付部材、１０は同上取付部材Ａの縦部材、１１は同上の横部材、Ｂは建物躯体、ｂは同上の外壁面、Ｃは取付部材Ａを建物躯体Ｂの外壁面ｂに取り付けているアンカーボルト、Ｄは取付部材Ａの横板部１１の取付座面１２に基端側を当接して取付ボルトＥにより横板部１１に取り付けた庇パネルを示す。
【００１５】
取付部材Ａは、建物躯体Ｂの外壁面ｂに当接して、アンカーボルトＣにより取り付けるよう、背面側を垂直な建物躯体Ｂの外壁面ｂに沿う平面とした縦板部１０と、庇パネルＤの基端側を取付座面１２に接合せしめて取付ボルトＥにより該庇パネルＤを取り付けるよう、縦板部１０の前面から棚板状に突出する横板部１１と、を具備する通常の形状態様のものであるが、それの横板部１１は、図５にあるよう、下面側の板面により形成した庇パネルＤの取付座面１２を基準として、その取付座面１２と縦板部１０の背面との間の角度αが、９０度＋２度の９２度程の角度となるよう前勾配の姿勢で縦板部１０から前方に棚板状に突出するように形成してある。これにより、この取付部材Ａは、縦板部１０の背面側を、建物躯体Ｂの外壁面ｂに直接当接せしめてアンカーボルトＣにより外壁面ｂに取り付け、横板部１１の下面により形成した取付座面１２に、庇パネルＤの基端側の上面を当接して、頭部２０を横板部１１に設けた嵌合部１３に嵌合させた取付ボルトＥにより取り付け固着すると、その庇パネルＤが、図７にあるように略２度の勾配で前端下りの状態として組み付けられ、組み立てられる建物用庇が前勾配の庇となる構成の取付部材である。
【００１６】
角度変更部材Ｍは、前記図５にあるように、上下の巾を取付部材Ａの縦板部１０の上下巾に略対応させ、左右の巾寸法を縦板部１０の巾寸法に略対応させて、縦板部１０と略重なり合う形状・大きさに形成した縦板部３と、その縦板部３の上端部に下向きの嵌合凹部状に形設した連結部３０と、縦板部３の下端部位に前方に向け短く突出する棚板状に形成した横板部３１と、その横板部３１の前端部の上面側に短く上向きに突出する係止突起状の連結部３２と、からなり、縦板部３の上端部に設けた嵌合凹部状の連結部３０を、取付部材Ａの縦板部１０の頂部に対し、上方から嵌め込むように係止し、縦板部３の下端側に設けた短い横板部３１の前端部の係止突起状の連結部３２を、取付部材Ａの下端側に設けられた取付台１４の後面側に形設してある係止溝１５に嵌合させることで、図６に示しているよう、取付部材Ａの縦板部１０の背面側にその縦板部１０と前後に並列・重合した状態となって、取付部材Ａに一体的に結合し、かつ、その取付部材Ａを支持する状態としてその取付部材Ａに組み付けられ、取付部材Ａを、建物躯体Ｂの外壁面ｂに取り付けるときに、取付部材Ａの縦板部１０に換わってこの角度変更部材Ｍの縦板部３が建物躯体Ｂの外壁面ｂに当接し、縦板部１０と縦板部３とに挿通するアンカーボルトＣにより、取付部材Ａを一体的に支持する状態で建物躯体Ｂの外壁面ｂに取り付けられるようになる。
【００１７】
そして、この角度変更部材Ｍを、取付部材Ａの縦板部１０の背面側に一体的に組み付けたときに、それにより支持された状態となる取付部材Ａは、該角度変更部材Ｍの縦板部３の下端部位に設けた係止突起状の連結部３２が、縦板部３の上端部の嵌合凹部状の連結部３０よりも、短い横板部３１の分だけ前方に偏位させてあることで、取付部材Ａを、それの縦板部１０が上端側を中心に下端側を前記偏位分だけ前方に進むよう、旋回回動させた状態姿勢として支持するようになり、これにより、縦板部１０から前方に突出する横板部１１の取付座面１２の水平面に対する勾配を変更させるようになる。
【００１８】
この実施例においては、角度変更部材Ｍを取付部材Ａの背面側に組み付けたときに、角度変更部材Ｍの縦板部３と取付部材Ａの縦板部１０とが、４度の開き角度を保持して並列・重合する状態となるように設定して構成してあり、これにより、縦板部１０に対し２度の下向き勾配となるよう設定して構成してある横板部１１が、縦板部１０の４度の上向き回動で、２度の上向き勾配になるようにしている。
【００１９】
従って、前勾配の庇体を組み立て構成する取付部材をそのまま用いて、後勾配の庇体を組み立て構成し得る。
【００２０】
また、この実施例は、取付部材Ａの横板部１１に、巾方向に並列させて取り付ける各庇パネルＤには、それの上面側に、長手方向に沿う水路溝Ｕが形成してある。
【００２１】
また、横板部１１に、庇パネルＤの基端側を当接して取付ボルトＥにより庇パネルＤを取り付けるように形成する取付座面１２は、横板部１１の下面側に、その横板部１１の下面を利用して形成してあって、これに、庇パネルＤの上周壁を下方から当接し、取付ボルトＥで取り付けることで、庇パネルＤを吊り下げ状態に取り付けるようにしてある。
【００２２】
そして、この横板部１１に取り付ける庇パネルＤは、基端側を横板部１１の下面の取付座面１２に当接させるときに、該庇パネルＤの後端面と縦板部１０の前面との間に、前記庇パネルＤの上面に形成した水路溝Ｕにより後方に流れてくる雨水を集めて左右方向に誘導する横樋を構成し得る空間Ｙを形成するよう、その横樋とする空間Ｙの前後巾に対応する距離分だけ、前方にずらして横板部１１の下面に配位し、その位置において取付ボルトＥにより横板部１１に取り付け固着するようにしている。
【００２３】
そして、これにより、空間Ｙに集められた雨水を、その空間Ｙの底壁となる下部カバーＬに設けておく排水口から、それに接続させる縦樋Ｔを経て外部に排出させるようにしている。
【実施例２】
【００２４】
図８は別の実施例を示している。この例は、取付部材Ａには、組み付ける庇パネルＤを先端上りの後勾配とするよう、横板部１１の取付座面１２が突出方向に向け上昇するように形成されている後勾配用の取付部材Ａを用い、これに背面側から角度変更部材Ｍを組み付けることで、組み付ける庇パネルＤの勾配を、前勾配に変更するようにしている例である。
【００２５】
この例の取付部材Ａは、横板部１１が、図９に示しているように、縦板部１０の背面の垂直面と直交する水平面に対し先端に向けて上昇する勾配を有して、縦板部１０の前面から突出するように構成している他は、前述の実施例１の取付部材Ａと変わりがない。
【００２６】
また、角度変更部材Ｍも、縦板部３の上端側に、取付部材Ａの縦板部１０の頂端に対し嵌合する嵌合凹部状の連結部３０を備え、縦板部３の下端側には、取付部材Ａの縦板部１０の下端部に設けられた取付台１４の後方に形設してある係止溝１５と係合する係止突起状の連結部３２を具備するように形成してあることについては、前述の実施例１の角度変更部材Ｍと変わりがない構成のものであるが、短い棚板状の横板部３１は、縦板部３の上端側に、前方に向け突出するように設けてある。そして、取付部材Ａの縦板部１０の上端に連結する嵌合凹部状の連結部３０は、この短く突出させた横板部３１の先端側に形設してあって、該角度変更部材Ｍを、取付部材Ａの縦板部１０の背面側に組み付けたときに、縦板部１０を、上端側が前方に進んだ前傾姿勢として支持してあり、これにより、図９にあるように、庇パネルＤを後勾配に組み付ける取付部材Ａをベースとして、これに角度変更部材Ｍを組み付けることにより、取り付ける庇パネルＤの勾配を、前勾配に変更させるようにしてある。
【符号の説明】
【００２７】
Ａ    取付部材
Ｂ    建物躯体
Ｃ    アンカーボルト
Ｄ    庇パネル
Ｅ    取付ボルト
Ｆ    庇体
Ｌ    下部カバー
Ｍ    角度変更部材
Ｔ    縦樋
Ｕ    水路溝
Ｙ    空間
ｂ    外壁面
１０    縦板部
１１    横板部
１２    取付座面
１３    嵌合部
１４    取付台
１５    係止溝
２０    頭部
３    縦板部
３０    連結部
３１    横板部
３２    連結部
４    縦板部
【図１】
0003157065.tif 000003
【図２】
0003157065.tif 000004
【図３】
0003157065.tif 000005
【図４】
0003157065.tif 000006
【図５】
0003157065.tif 000007
【図６】
0003157065.tif 000008
【図７】
0003157065.tif 000009
【図８】
0003157065.tif 000010
【図９】
0003157065.tif 000011